(57)【特許請求の範囲】
【請求項１】
電源から電力の供給を受けて放電灯を点灯させるとともに放電灯の累積点灯時間を記録し、記録した累積点灯時間に応じて放電灯の光出力を制御する放電灯点灯装置において、
放電灯の累積点灯時間を記録する不揮発性メモリと、
前記電源のオフからオンへのオフオン状態変化と、オンからオフへのオンオフ状態変化とのそれぞれの状態変化を検出する電源オンオフ状態検出回路と、
放電灯が装着されているか抜去されているかを検出する放電灯状態検出回路と、
前記不揮発性メモリに記録されている累積点灯時間をリセットするリセット実行部と
を備え、
前記リセット実行部は、
前記電源オンオフ状態検出回路が予め設定された所定の短時間の間に前記電源のオフオン状態変化とオンオフ状態変化との少なくともいずれかについて予め設定された所定の回数を検出した後に、
前記放電灯状態検出回路が放電灯の抜去を検出しその後さらに放電灯の装着を検出した場合に、前記不揮発性メモリに記録されている累積点灯時間をリセットすることを特徴とする放電灯点灯装置。
【請求項２】
前記リセット実行部は、
前記電源オンオフ状態検出回路が予め設定された所定の短時間の間に前記電源のオフオン状態変化について予め設定された所定の回数として２ｎ＋１回（ｎは１以上の整数）を検出した後に、
前記放電灯状態検出回路が放電灯の抜去を検出しその後さらに放電灯の装着を検出した場合に、前記不揮発性メモリに記録されている累積点灯時間をリセットすることを特徴とする請求項１記載の放電灯点灯装置。
【請求項３】
前記リセット実行部は、
前記電源オンオフ状態検出回路が予め設定された所定の短時間の間に前記電源のオンオフ状態変化について予め設定された所定の回数として２ｎ回（ｎは１以上の整数）を検出した後に、
前記放電灯状態検出回路が放電灯の抜去を検出しその後さらに放電灯の装着を検出した場合に、前記不揮発性メモリに記録されている累積点灯時間をリセットすることを特徴とする請求項１記載の放電灯点灯装置。
【請求項４】
前記放電灯状態検出回路は、
前記電源がオンの場合に放電灯が装着されているか抜去されているかの検出が可能であり、
前記リセット実行部は、
前記電源オンオフ状態検出回路が予め設定された所定の短時間の間に前記電源のオフオン状態変化とオンオフ状態変化との少なくともいずれかについて予め設定された所定の回数を検出した後に、
前記電源がオン状態を継続中に前記放電灯状態検出回路が放電灯の抜去を検出しその後さらに放電灯の装着を検出した場合に、前記不揮発性メモリに記録されている累積点灯時間をリセットすることを特徴とする請求項１記載の放電灯点灯装置。
【請求項５】
前記リセット実行部は、
前記電源オンオフ状態検出回路が予め設定された所定の短時間の間に前記電源のオフオン状態変化について予め設定された所定の回数として２ｎ＋１回（ｎは１以上の整数）を検出した後に、
前記電源がオン状態を継続中に前記放電灯状態検出回路が放電灯の抜去を検出しその後さらに放電灯の装着を検出した場合に、前記不揮発性メモリに記録されている累積点灯時間をリセットすることを特徴とする請求項４記載の放電灯点灯装置。
【請求項６】
電源から電力の供給を受けて放電灯を点灯させるとともに放電灯の累積点灯時間を記録し、記録した累積点灯時間に応じて放電灯の光出力を制御する放電灯点灯装置において、
放電灯の累積点灯時間を記録する不揮発性メモリと、
前記電源のオフからオンへのオフオン状態変化と、オンからオフへのオンオフ状態変化とのそれぞれの状態変化を検出する電源オンオフ状態検出回路と、
前記電源がオンの場合に放電灯が装着されているか抜去されているかの検出が可能な放電灯状態検出回路と、
前記不揮発性メモリに記録されている累積点灯時間をリセットするリセット実行部と
を備え、
前記リセット実行部は、
前記放電灯状態検出回路が前記電源がオンとなったことを契機として放電灯の抜去を検出しその後に前記電源が前記オンからオフとなりさらに前記オフからオンとなったことを契機として放電灯の装着を検出し、その後さらに、前記電源オンオフ状態検出回路が予め設定された所定の短時間の間に前記電源のオンオフ状態変化について予め設定された所定の回数を検出するとともに前記電源オンオフ状態検出回路による前記電源のオンオフ状態変化の所定の回数の検出後における前記電源の状態がオフであることに応動して、前記不揮発性メモリに記録されている累積点灯時間をリセットすることを特徴とする放電灯点灯装置。
【請求項７】
前記電源のオンオフ状態変化について予め設定された所定の回数は、
２ｎ回（ｎは１以上の自然数）であることを特徴とする請求項６記載の放電灯点灯装置。
【請求項８】
前記放電灯点灯装置は、さらに、
高周波電力を発生して放電灯に供給するとともに、前記電源がオフとなった後の所定の期間、高周波電力を発生するインバータ回路と、
前記電源がオフとなった後の所定の期間に前記インバータ回路が発生する高周波電力の一部を入力して電力を充電する充電素子と
を備え、
前記リセット実行部は、
前記電源の状態がオフであることに応動して前記不揮発性メモリに記録されている累積点灯時間をリセットする場合に、前記充電素子が充電した電力を累積点灯時間をリセットする動作電力に用いることを特徴とする請求項６または７いずれかに記載の放電灯点灯装置。
【請求項９】
前記リセット実行部は、
前記不揮発性メモリに記録されている累積点灯時間をリセットした場合に、リセットしたことを報知することを特徴とする請求項１または６いずれかに記載の放電灯点灯装置。
【請求項１０】
前記リセット実行部は、
放電灯の光出力を増減する制御を行うことにより、リセットしたことを報知することを特徴とする請求項９記載の放電灯点灯装置。
【請求項１１】
電源から電力の供給を受けて放電灯を点灯させるとともに放電灯の累積点灯時間を記録し、記録した累積点灯時間に応じて放電灯の光出力を制御する放電灯点灯装置において、
前記放電灯の累積点灯時間を記録する第１メモリと、
所定の情報を記録する第２メモリと、
前記累積点灯時間のリセットの予約を要求するリセット予約要求情報を入力し、入力したリセット予約要求情報に基づいて累積点灯時間のリセットの予約登録を前記第２メモリに記録するとともに、累積点灯時間のリセットの実行を要求するリセット実行要求情報を入力するリセット実行部と
を備え、
前記リセット実行部は、
前記第２メモリに予約登録を記録した後、リセット実行要求情報を入力した場合に、前記電源がオフであることに応動して、前記第１メモリに記録されている累積点灯時間をリセットすることを特徴とする放電灯点灯装置。
【請求項１２】
放電灯の累積点灯時間を第１メモリに記録し、前記第１メモリに記録した累積点灯時間に応じて放電灯の光出力を制御するマイクロコンピュータに以下の処理を実行させる累積点灯時間リセットプログラム
（１）累積点灯時間のリセットの予約を要求するリセット予約要求情報を入力し、入力したリセット予約要求情報に基づいて累積点灯時間のリセットの予約登録を第２メモリに記録する処理と、
（２）前記第２メモリに予約登録が記録された後、累積点灯時間のリセットの実行を要求するリセット実行要求情報を入力した場合に、前記第１メモリに記録されている累積点灯時間をリセットする処理
【発明の詳細な説明】
【技術分野】
【０００１】
この発明は、放電灯等の照明負荷の点灯時間により、放電灯の出力を制御する放電灯点灯装置に関する。特に、放電灯の点灯時間の経過に伴う光束の低下を抑制する点灯装置に関するものである。
【背景技術】
【０００２】
従来より、放電灯の累積点灯時間を計時し、その累積点灯時間の経過に伴う光束の低下を抑制するように放電灯の出力電力を補正する点灯装置は知られている。
【０００３】
これらの点灯装置について従来から知られている原理は、放電灯の累積点灯時間と出力電力とを対応させた補正用データテーブルを予め用意し、点灯装置はこのテーブルを参照することにより、放電灯への供給電力を制御するものである。このような放電灯点灯装置を搭載した照明器具では、放電灯を光束の経時劣化の無い新品の放電灯と置換した場合は、累積点灯時間を初期値にリセットする必要がある。例えば、特許文献１（特開２０００−２２３２９６号公報）に、リセット方式が開示されている。
【０００４】
特許文献１では、累積点灯時間を初期値にリセットする手段が、放電灯点灯装置の電源スイッチが所定の短時間にオン・オフを繰り返えされたことを検出し、繰り返し回数が所定の回数を越えた場合にリセットする。
【０００５】
しかし、この方式の場合、例えば、共通した１つ電源スイッチから分岐された複数の照明器具が配置されている場合には、次のような課題が存在する。即ち、それぞれの照明器具に装着されている放電灯の累積点灯時間が異なっても、例えば、新品に近い放電灯が装着された放電灯点灯装置を搭載した照明器具と、寿命末期に近い放電灯が装着された放電灯点灯装置を搭載した照明器具の両方が混在して配置されている場合でも、全ての照明器具の累積点灯時間がリセットされるという課題がある。そのため、特開２０００−２２３２９６号公報の図３では、リセットを有効にする電源スイッチのオン・オフ回数として、例えば、累積点灯時間が定格寿命以上に達した場合は３回、定格寿命時間の９０％〜は４回、定格寿命時間の８０％〜は５回とすることで、全ての放電灯点灯装置の累積点灯時間がリセットされるのを防止できるとしている。
【０００６】
しかし、このような制約条件だけの場合には、使用者の意図に反して、リセットの必要の無い放電灯点灯装置の累積点灯時間までもリセットされてしまう恐れがある。
【特許文献１】特開２０００−２２３２９６号公報
【発明の開示】
【発明が解決しようとする課題】
【０００７】
この発明の第１の目的は、累積点灯時間をリセットすることを放電灯点灯装置に予約・登録する手段と、前記予約登録された記録があり、放電灯の置換情報が検出された場合にのみ、累積点灯時間の初期値へのリセットを可能にする放電灯点灯装置を提供することを目的にする。これによって、１つの電源スイッチに累積点灯時間の異なる放電灯が装着された放電灯点灯装置を搭載した照明器具が混在して配置されている場合でも、累積点灯時間をリセットしたい放電灯点灯装置のみを選択的に予約してリセットできる。即ち、累積点灯時間をリセットしたい放電灯を予約・登録した後リセットするので、意図に反してリセットされてしまう問題を解決することができる。
【０００８】
この発明の第２の目的は、累積点灯時間のリセットを予約・登録した後、現在装着されている古い放電灯から新品の放電灯への置換作業が簡単で時間的にも効率よく、且つ、リセットが確実に行われたことを報知する放電灯点灯装置を提供することを目的にする。
【０００９】
この発明の第３の目的は、古い放電灯から新品の放電灯への置換作業をする場合に、古い放電灯の抜去と新しいランプの装着作業を必ず入力電源を遮断した状態で行わないとリセットが有効にならないようにし、放電灯の置換作業の安全をより高くした放電灯点灯装置を提供することを目的にする。
【００１０】
この発明の第４の目的は、不揮発性メモリの累積点灯時間のリセット時にマイコンの初期値への書き込み動作が確実に行われるように、マイコンの制御電源を確実に確保する放電灯点灯装置を提供することを目的にする。
【課題を解決するための手段】
【００１１】
この発明の放電灯点灯装置は、
電源から電力の供給を受けて放電灯を点灯させるとともに放電灯の累積点灯時間を記録し、記録した累積点灯時間に応じて放電灯の光出力を制御する放電灯点灯装置において、
放電灯の累積点灯時間を記録する不揮発性メモリと、
前記電源のオフからオンへのオフオン状態変化と、オンからオフへのオンオフ状態変化とのそれぞれの状態変化を検出する電源オン・オフ状態検出回路と、
放電灯が装着されているか抜去されているかを検出する放電灯状態検出回路と、
前記不揮発性メモリに記録されている累積点灯時間をリセットするリセット実行部と
を備え、
前記リセット実行部は、
前記電源オン・オフ状態検出回路が予め設定された所定の短時間の間に前記電源のオフオン状態変化とオン・オフ状態変化との少なくともいずれかについて予め設定された所定の回数を検出した後に、
前記放電灯状態検出回路が放電灯の抜去を検出しその後さらに放電灯の装着を検出した場合に、前記不揮発性メモリに記録されている累積点灯時間をリセットすることを特徴とする。
【発明の効果】
【００１２】
本発明により、意図に反して累積点灯時間をリセットしてしまうことのない放電灯点灯装置を提供することができる。また、１つの電源スイッチに累積点灯時間の異なる放電灯が装着された放電灯点灯装置を備えた照明器具が混在して配置されている場合でも、累積点灯時間をリセットしたい放電灯点灯装置を選択してリセットすることができる。
【発明を実施するための最良の形態】
【００１３】
実施の形態１．
図１は、この発明の実施の形態１の放電灯点灯装置１００の構成を示す回路図である。図１において、放電灯点灯装置１００は、交流電源１から電源スイッチ２０を介して交流電源を与えられる。図１では、放電灯点灯装置１００の他、共通した１個の電源スイッチ２０から分岐された複数の放電灯点灯装置１００ａ〜１００ｎが配置されている。放電灯点灯装置１００ａ〜１００ｎの構成は、放電灯点灯装置１００と全く同一であり、共通の電源スイッチ２０を介して交流電源１に接続される。
【００１４】
図１に示すように、放電灯点灯装置１００は、ダイオードブリッジ２と、昇圧チョッパ回路２００と、昇圧チョッパ制御回路２１０と、インバータ回路３００と、放電灯負荷回路３３０と、放電灯状態検出回路３２０と、インバータ制御回路３１０と、電源オン・オフ状態検出回路３４０とを備える。インバータ制御回路３１０は、制御出力回路３１０１とマイクロコンピュータ３１０２（以下、マイコンという。リセット実行部）と、不揮発性メモリ３１０３（第１メモリ、第２メモリ）とを備えている。これら各要素の機能を次に説明する。
【００１５】
放電灯点灯装置１００において、電源スイッチ２０を介して供給された交流電源１は、ダイオードブリッジ２で整流される。ダイオードブリッジ２は、脈流成分を含む直流電源を昇圧チョッパ回路２００に供給する。
【００１６】
昇圧チョッパ回路２００は、昇圧チョッパ制御回路２１０により制御される。昇圧チョッパ回路２００は、チョークコイル３、スイッチング素子５、ダイオード４、コンデンサ６によって、ダイオードブリッジ２から入力された脈流を含む直流電源を昇圧・平滑し、インバータ回路３００に供給する。インバータ回路３００は、昇圧チョッパ回路２００により昇圧された直流電源を高周波電流に変換し、負荷である放電灯負荷回路３３０に供給する。
【００１７】
インバータ回路３００は、インバータ制御回路３１０で制御される。インバータ回路３００は、スイッチング素子７及びスイッチング素子８で昇圧チョッパ回路２００が昇圧した直流電圧を高周波電圧に変換する。また、スイッチング素子７には、並列に抵抗１３が接続される。なお、スイッチング素子７及びスイッチング素子８のドレイン・ソース間に逆並列に接続されているダイオードは、図示を省略した。
【００１８】
（１）インバータ制御回路３１０は、インバータ回路３００を制御する。マイコン３１０２は、インバータ回路３００を制御して放電灯１１を点灯させる制御を行ない、あるいは放電灯１１の累積点灯時間を不揮発性メモリ３１０３に記録する他、様々な制御を実行するが、本実施の形態１では、マイコン３１０２が放電灯状態検出回路３２０からの出力信号と電源オン・オフ状態検出回路３４０からの出力信号とを入力し、これらの出力信号に基づいて不揮発性メモリ３１０３に記録された放電灯の累積点灯時間をリセットする場合を説明する。これは後に図３〜図５を用いて説明する。
（２）不揮発性メモリ３１０３は、マイコン３１０２が計時する累積点灯時間を記録する他、マイコン３１０２からの情報を記憶する。
（３）制御出力回路３１０１はマイコン３１０２から出力される制御信号をもとにインバータ回路３００を駆動する。
【００１９】
放電灯負荷回路３３０は、カップリングコンデンサ９、チョークコイル１０、放電灯１１から成る直列回路と、カップリングコンデンサ９に並列に接続された抵抗１４と、放電灯１１に並列に接続されたコンデンサ１２とから構成される。
【００２０】
放電灯状態検出回路３２０は、放電灯１１の放電灯負荷回路３３０への装着または抜去状態を検出するとともに、放電灯１１の正常または不良状態を検出する。放電灯状態検出回路３２０は、検出結果をマイコン３１０２に出力する。放電灯状態検出回路３２０が放電灯の装着状態を検出した場合に出力する信号を「装着検出情報」と言う場合がある。また、放電灯状態検出回路３２０が放電灯の装着されていない状態を検出した場合に出力する信号を「無負荷状態検出情報」と言う場合がある。放電灯状態検出回路３２０は、電源スイッチ２０がＯＮの場合、すなわち、交流電源１（商用電源）から電力の供給がある場合に、放電灯の抜去、装着を検出可能である。放電灯状態検出回路３２０は、放電灯１１の装着状態を、コンデンサ６を電源として抵抗１３、抵抗１４、放電灯１１の両フィラメントを介して電流が流れることにより検出し、放電灯１１の装着あるいは抜去を示す出力信号をマイコン３１０２に出力する。また、放電灯状態検出回路３２０は、放電灯１１の不良状態を、放電灯１１の両端電圧の上昇や、放電灯のフィラメントの電圧等によって検出し、放電灯１１の正常あるいは不良を示す出力信号をマイコン３１０２に出力する。
【００２１】
電源オン・オフ状態検出回路３４０は、ダイオードブリッジ２の出力電圧を検出することで電源スイッチ２０のオンまたオフの状態を検出し、検出結果を出力信号（検出信号という場合がある）としてマイコン３１０２に出力する。なお、昇圧チョッパ制御回路２１０、インバータ制御回路３１０、放電灯状態検出回路３２０及び電源オン・オフ状態検出回路３４０の制御用駆動電源は図示を省略する。
【００２２】
図１の回路で交流電源１が投入されると、インバータ回路３００は、インバータ制御回路３１０によって制御され、放電灯１１は点灯する。このとき、インバータ制御回路３１０は、インバータ回路３００から放電灯負荷回路３３０へ供給される電力を制御する「調光制御信号」をインバータ回路３００に出力する。インバータ回路３００は、この「調光制御信号」に従って、放電灯１１の電力を調光制御する。ここで「調光制御」とは、放電灯１１の光出力を変化させるように、放電灯１１の電力を制御することをいう。
【００２３】
また、インバータ制御回路３１０のマイコン３１０２は、この「調光制御信号」によって放電灯１１が点灯している時間を計時し、その累積点灯時間に応じて、放電灯１１の調光率を変化させる。また、累積点灯時間は、適当なタイミングでマイコン３１０２により不揮発性メモリ３１０３に記録される。交流電源１がオフ後、再投入された場合でも、インバータ制御回路３１０のマイコン３１０２は、不揮発性メモリ３１０３に記録された直近の交流電源１がオフ時の累積点灯時間に基づき、動作を継続できる。
【００２４】
図２の（ａ）〜（ｃ）は、放電灯１１の累積点灯時間と放電灯１１の光束などとの関係を示すグラフである。
図２の（ａ）〜（ｃ）では、横軸はいずれも累積点灯時間である。
図２（ａ）は、放電灯１１の累積点灯時間と放電灯１１の光束との関係を示す。
図２（ｂ）は、放電灯１１の累積点灯時間と放電灯１１の電力特性との関係を示す。
図２（ｃ）は、放電灯１１の累積点灯時間と放電灯１１の光出力との関係を示す。
【００２５】
図２（ａ）に示すように、放電灯１１の光束は、放電灯１１自体の経時変化や、経時変化に伴う「放電灯１１及び装着されている照明器具」の汚れなどで、累積点灯時間の増加に伴い低下する。
【００２６】
しかし、図２（ｂ）のように、累積点灯時間の経過に伴う光束低下を補うように放電灯１１への供給電力を増加することで、図２（ｃ）に示すように、放電灯１１の光出力を累積点灯時間の経過に対して概略一定にすることができる。
【００２７】
このように、累積点灯時間に対応して放電灯１１の電力を変化（増加）し、放電灯１１の光束の低下を補正する機能を「タイマー制御機能」と呼ぶことにする。
【００２８】
「タイマー制御機能」をもった放電灯点灯装置では、装着された放電灯を新品と置換（交換）した場合には、累積点灯時間を初期値にリセットする必要がある。また、図１のように、交流電源１から共通した１個の電源スイッチ２０を介して複数の放電灯点灯装置１００、１００ａ・・・１００ｎが接続されている場合は、新品の放電灯に置換された放電灯点灯装置のみを選択して累積点灯時間をリセットをする必要がある。特に、事務所や店舗などのように、１つのフロア内に多数の照明器具が設置されている場所では、新品の放電灯への置換作業は、累積点灯時間のリセットが必要な放電灯点灯装置を選択的に選別して簡単にリセットできることが要求される。すなわち、置換対象の放電灯が装着されている放電灯点灯装置を簡単に選択でき、選択された放電灯点灯装置の累積点灯時間のみがリセットできるしくみが要求される。
【００２９】
以下、本実施の形態１では、１個の電源スイッチ２０を介して複数の放電灯点灯装置が接続されている場合に、使用者（放電灯の交換作業者。以下、交換作業者、あるいは作業者という場合がある）が累積点灯時間のリセットを簡単に効率良く行うことができる手段を説明する。
【００３０】
図１、及び図３〜図４を用いて説明する。
図３は、放電灯点灯装置１００の動作を示すフローチャートである。
図４は、図３のフローチャートをさらに詳しくしたものである。図４では、例えば図３のＳ（ステップ）１００をさらに具体的にＳ１００ａ〜Ｓ１００ｃに分けて記載している。図３の他のステップについても同様である。
図５は、図４の主要なステップと電源スイッチ２０との関係を示す図である。
以下では、特に図４、図５を参照して説明を行なう。
【００３１】
（ステップ  Ｓ１００）
交換作業者は、累積点灯時間のリセットを行なおうとする放電灯点灯装置が接続されている電源スイッチ２０をオフからオン、オンからオフにする操作を繰り返すことにより、所定の短時間内にオフからオンへの操作（以下、オフ・オン操作という）を３以上の奇数回実行し、最後にオン状態にする（Ｓ１００ａ）。ここで、「所定の短時間内」とは、例えば「５秒」である。すなわち、作業者は「５秒」の間に「オフ・オン操作」を３以上の奇数回の操作（最後はオン状態）する必要がある。
このように作業者には、例えば「５秒」の間に３回の「オフ・オン操作」（最後はオン状態）を行い、
あるいは、
「５秒」の間に５回の「オフ・オン操作」（最後はオン状態）を行い、
あるいは、
「５秒」の間に７回の「オフ・オン操作」（最後はオン状態）を行なう
などの操作が求められる。なお、「所定の短時間」は、マイコン３１０２のプログラムで予め設定することができる。また、所定の短時間内に行なうべき「オフ・オン操作」の回数もマイコン３１０２のプログラムで予め設定することができる。
【００３２】
電源オン・オフ状態検出回路３４０は、電源スイッチ２０のオフ状態からオン状態への変化（以下、オフ・オン状態変化という）、及び、オン状態からオフ状態への変化（以下、オン・オフ状態変化という）の変化情報を検出（Ｓ１００ｂ）する。この変化情報（リセット予約要求情報）は、インバータ制御回路３１０のマイコン３１０２に取り込まれる。マイコン３１０２は、この変化情報を不揮発性メモリ３１０３に記録しカウントする（Ｓ１００ｃ）。
【００３３】
図３（Ｓ１０１）あるいは図４（Ｓ１０１）ではｎを１より大きい整数として、奇数を２ｎ＋１（ＯＮ→ＯＦＦへの状態変化）で示している。
【００３４】
また、電源スイッチ２０のオンからオフへのオン・オフ状態変化は、ダイオードブリッジ２の正極側の電圧がゼロになった以降も、インバータ制御回路３１０、放電灯状態検出回路３２０及び電源オン・オフ状態検出回路３４０の制御用駆動電源を入力電圧のゼロ状態の継続を検出し、不揮発性メモリへの書き込みに必要な期間その電圧を保持することで可能である。例えば、上記電源オン・オフ状態検出回路３４０の制御用駆動電源に適当な容量の電解コンデンサを備えることで実現できる。
【００３５】
（ステップＳ１０１）
マイコン３１０２は、所定時間の間にカウントした「オフ・オン状態変化」の回数が、予めマイコン３１０２のプログラムにおいて設定された回数に相当するかどうかを判断する。マイコン３１０２が、「相当する」と判断した場合、Ｓ１０１のＹｅｓのフローに進む。また、マイコン３１０２が「不一致」と判断した場合は、Ｓ１０１のＮｏに進む。
【００３６】
（ステップ  Ｓ１１０）
ステップＳ１１０に到達した放電灯点灯装置１００では、自己の装着する放電灯１１が置換対象であることが、インバータ制御回路３１０の不揮発性メモリ３１０３に予約登録される（Ｓ１１０ａ）。すなわち、マイコン３１０２は、Ｓ１０１においてＹｅｓと判断した場合には、累積点灯時間の「予約登録」を不揮発性メモリ３１０３に記録する。次に、図５に示すように、電源スイッチ２０をオン状態を保ったままの状態で作業者によって放電灯１１が抜去されると（Ｓ１１０ｂ）、放電灯状態検出回路３２０が放電灯１１の抜去を検出する（Ｓ１１０ｃ）。このステップＳ１１０ｂ、Ｓ１１０ｃは、累積点灯時間が経過し光束が低下した放電灯１１を交換のために抜去し、放電灯負荷回路３３０が無負荷になったことを検出することを目的にしている。
【００３７】
（ステップ  Ｓ１１１）
放電灯が無負荷であればＳ１１１のＹｅｓに進み、放電灯が装着されている場合にはＳ１１１のＮｏに進む。すなわち、Ｓ１１１ではマイコン３１０２が放電灯状態検出回路３２０からの出力信号により放電灯が装着されているかどうかを判断する。
【００３８】
（ステップ  Ｓ１２０）
交換作業者が新品の放電灯１１を装着する（Ｓ１２０ａ）と、放電灯状態検出回路３２０が新品の放電灯１１の装着を検出し、装着検出情報（リセット実行要求情報）をマイコン３１０２に出力する（Ｓ１２０ｂ）。これは、新品の放電灯１１が装着され、放電灯負荷回路３３０が有負荷になったことを検出することを目的にしている。
【００３９】
（ステップ  Ｓ１２１）
Ｓ１２１において、放電灯１１が有負荷（即ち放電灯状態検出回路３２０からマイコン３１０２への出力信号が装着検出情報である場合）であればＳ１２１のＹｅｓに進み、無負荷（即ち放電灯状態検出回路３２０からマイコン３１０２への出力信号が無負荷状態検出情報である場合）であればＮｏのフローに進む。すなわち、Ｓ１２１ではマイコン３１０２が放電灯状態検出回路３２０からの出力信号により、放電灯が装着されているかどうかを判断する。
【００４０】
（ステップ  Ｓ１３０）
マイコン３１０２は、放電灯状態検出回路３２０からの出力信号により放電灯が装着されていると判断すると、Ｓ１１０ａにおいて不揮発性メモリ３１０３に予約登録が記録されているため、不揮発性メモリ３１０３に記録されている累積点灯時間を初期値にリセットする（Ｓ１３０）。なお、マイコン３１０２の内部に備えられたＲＡＭ領域（図示していない）に記録されている交換前の放電灯に関する短時間の累積点灯時間もリセットされる。
【００４１】
(ステップ  Ｓ１４０)
マイコン３１０２は、累積点灯時間がリセットされたことを交換作業者に報知する（Ｓ１４０）。報知手段としては、例えば、放電灯の光出力を所定の間隔で増減したり（放電灯を明るくしたり暗くしたり）、または、図示していないブザーを鳴らしたり、発光ダイオードのような小型ランプを点灯、あるいは点滅させること等により報知を行なうことができる。
【００４２】
以上のように、新品の放電灯への置換対象として予約登録処理（不揮発性メモリ３１０３へのリセットの予約登録の記録）を実行した放電灯点灯装置の中から、作業者は累積点灯時間のリセットを実行する放電灯点灯装置を選択し、放電灯を置換するだけで累積点灯時間をリセットすることができる。新しい放電灯に置換された放電灯点灯装置は、リセットが完了したことを報知する。
【００４３】
マイコン３１０２は、Ｓ１０１、Ｓ１１１及びＳ１２１のステップで、Ｎｏと判定した場合は、累積点灯時間のリセットは行なわず、次の処理に進む（Ｓ１５０）。
【００４４】
上記に述べたＳ１０１では、マイコン３１０２は、電源オン・オフ状態検出回路３４０が予め設定された所定の短時間の間に電源のオフからオンへの状態変化であるオフ・オン状態変化ついて２ｎ＋１回（ｎは１以上の整数）を検出したと判断した場合に（Ｓ１０１のＹｅｓ）、リセットの予約登録をおこなった（Ｓ１１０）。したがって、作業者はＳ１００ａにおいて、所定の短時間の間に電源スイッチ２０に対して奇数回（３回以上）のオフ・オン操作が要求された。しかし、これは一例であり「２ｎ＋１回（ｎは１以上の整数）」に限定するものではない。例えば、マイコン３１０２についてのプログラムにおいて予め設定することにより、マイコン３１０２は、電源オン・オフ状態検出回路３４０が予め設定された所定の短時間の間に電源（交流電源１）のオフ・オン状態変化とオン・オフ状態変化との少なくともいずれかについて予め設定された所定の回数を検出した場合に、リセットの予約登録を行なうようにしてもよい。
（１）具体的には、「２ｎ＋１回（ｎは１以上の整数）」の他の例として、マイコン３１０２は、電源オン・オフ状態検出回路３４０が予め設定された所定の短時間の間に電源のオンからオフへの状態変化であるオン・オフ状態変化ついて２ｎ回（ｎは１以上の整数）を検出したと判断した場合に、リセットの予約登録をおこなうようにしてもよい。
（２）あるいは、マイコン３１０２は、電源オン・オフ状態検出回路３４０が予め設定された所定の短時間の間に、予め設定された回数のオフ・オン状態変化を検出するとともに予め設定された回数のオン・オフ状態変化とを検出したと判断した場合に、リセットの予約登録をおこなうようにしても構わない。
【００４５】
以上のように、本実施の形態１によれば、Ｓ１０１において、マイコン３１０２により電源スイッチのオフ・オン状態変化の回数が所定の短時間内に所定の回数操作されたことを検出することで、使用者（または交換作業者）が新品の放電灯と置換する放電灯点灯装置を置換対象として予約登録できる。
【００４６】
また、予約登録に続き、累積点灯時間のリセットは、現在装着されている放電灯の抜去（Ｓ１１０ｂ）〜新品放電灯の装着（Ｓ１２１のＹｅｓ）の一連のステップを実行することで、リセットが必要な放電灯点灯装置のみを選択して累積点灯時間のリセットの実行・確定を簡単に効率良く行うことができる。
【００４７】
即ち、リセットの処理が、リセットする放電灯点灯装置の予約登録と、リセット確定実行の操作手順とに分かれているので、それまでの累積点灯時間が使用者（交換作業者）の意図に反してリセットされることを防止でき、且つ、旧来放電灯の抜去と新品放電灯の装着とを繰り返す簡単な操作によることで、多数の放電灯点灯装置の累積点灯時間のリセットを効率良く行うことができる効果がある。
【００４８】
さらに、累積点灯時間のリセットを行ったことを報知するようにしているので、リセット完了を確認できる効果がある。また、上記報知手段は、放電灯の光出力を所定の周期で増減するようにしているので、特別な報知手段を付加することなく報知できる効果がある。
【００４９】
実施の形態２．
図６は、実施の形態２における放電灯点灯装置１０１の構成を示す回路図である。図６において図１と同等または相当する構成要素には同一符号を付してその説明を省略する。なお、インバータ制御回路及びインバータ回路の符号を図１と変更している。これは、放電灯点灯装置１０１のマイコン３１１２が、実施の形態１のマイコン３１０２とは、異なる処理を実行すること及び、インバータ回路３０１が高周波電力をコンデンサ２４に供給すること等による。
【００５０】
実施の形態１の放電灯点灯装置１００では、累積点灯時間のリセット予約登録とリセット実行とは次のようであった。
（１）予約登録
放電灯点灯装置１００のマイコン３１０２は、電源スイッチ２０のオン・オフ操作を検知して、放電灯が置換対象であることを予約登録（Ｓ１１０ａ）する。
（２）リセット実行
電源スイッチ２０がオンを継続している場合に、マイコン３１０２は、予約登録のある場合に、放電灯の抜去及び装着を検出すると累積点灯時間のリセットを実行する（Ｓ１３０）。
【００５１】
これに対して、実施の形態２の放電灯点灯装置１０１は、後述する図８、図９に示すように、予約登録とリセット実行は次の様である。
（１）予約登録
マイコン３１１２は、電源スイッチ２０がオフの状態で放電灯が抜去された後、電源スイッチ２０がオンとなった場合にこれらを検知して予約登録をする（図８のＳ２００ｃ）。
（２）リセットの実行
放電灯点灯装置１０１のマイコン３１１２は、予約登録後、電源スイッチ２０がオフにされ、このオフの状態で放電灯が装着され、その後、電源スイッチ２０がオンにされ、その後、電源スイッチ２０に対して所定のオン・オフ操作がされた場合に、累積点灯時間のリセットを実行する（図８のＳ２４０）。
【００５２】
図６の放電灯点灯装置１０１は、図１に示した実施の形態１の放電灯点灯装置１０１に対して、インバータ回路３０１にコンデンサ２１、ダイオード２２，２３を備えるとともに、インバータ制御回路３１１に制御電源を供給するコンデンサ２４（充電素子）を備える。
【００５３】
図６において、放電灯点灯装置１０１のインバータ回路３０１のコンデンサ２１の一端は、スイッチング素子７とスイッチング素子８との接続点に接続され、他端はダイオード２２のカソードに接続される。ダイオード２２のアノードは、昇圧チョッパ回路２００の負極側に接続される。コンデンサ２１とダイオード２２との接続点にダイオード２３のアノードが接続される。ダイオード２３のカソードは、制御電源Ｖｃ３１１に接続される。制御電源Ｖｃ３１１の正負端子間にコンデンサ２４が接続される。
【００５４】
インバータ制御回路３１１の制御電源Ｖｃ３１１は、昇圧チョッパ回路２００から電流制限素子（図示を省略）を介してコンデンサ２４に起動用の電流を得るとともに、コンデンサ２１とダイオード２２との接続点ａからダイオード２３を介してインバータ回路３０１の発振に伴う高周波電流を供給される。
【００５５】
放電灯点灯装置１０１ａ〜１０１ｎの構成は、放電灯点灯装置１０１と全く同一であり、共通の電源スイッチ２０を介して交流電源１に接続される。
【００５６】
なお、昇圧チョッパ制御回路２１０、電源オン・オフ状態検出回路３４０及び放電灯状態検出回路３２０の制御用駆動電源は図示を省略する。
【００５７】
実施の形態１と同様に、図６の回路で交流電源１が投入されると、実施の形態１の放電灯点灯装置１００と同様に、インバータ回路３０１は、インバータ制御回路３１１によって制御され、放電灯１１は点灯する。このとき、インバータ制御回路３１１は、インバータ回路３０１から放電灯負荷回路３３０へ供給される電力を制御するようにインバータ回路３０１に「調光制御信号」を出力する。インバータ回路３０１は、この「調光制御信号」に従って、放電灯１１の電力を調光制御する。この「調光制御信号」は、マイコン３１１２により生成され、制御出力回路を介してインバータ回路３０１へ出力される。また、インバータ制御回路３１１のマイコン３１１２は、この「調光制御信号」によって放電灯１１が点灯している時間を計時し、その累積点灯時間に応じて、放電灯１１の調光率を変化させる。また、累積点灯時間は適当なタイミングで不揮発性メモリに記録され、交流電源１がオフ後、再投入された場合でも、不揮発性メモリに記録された直近の交流電源１がオフ時の累積点灯時間から継続動作ができる。
【００５８】
実施の形態１における放電灯１１の新品への置換作業は、図４あるいは図５に示したように、電源がオン状態を継続した状態で、古い放電灯の抜去（Ｓ１１０ｂ）及び新品放電灯の装着（Ｓ１２０ａ）を行っていた。
【００５９】
しかし、放電灯の種類や構造、照明器具の構造によっては、電源をオンした状態での放電灯の抜去、装着ができない場合がある。本実施の形態２の放電灯点灯装置１０１によれば、放電灯の抜去及び装着、また累積点灯時間のリセットが、商用電源のオフ状態で可能である（後述の図９のＳ２００ａ，Ｓ２１０ｄ，Ｓ２４０）。また、交流電源１（商用電源）から共通した１個の電源スイッチ２０を介して複数の放電灯点灯装置が接続されている場合は、放電灯が新品と置換された放電灯点灯装置のみを選択して累積点灯時間のリセットをすることが可能である。
【００６０】
図６に加え、図７〜図９を用いて放電灯点灯装置１０１の動作を説明する。
図７は、放電灯点灯装置１０１の動作を示すフローチャートである。
図８は、図７のフローチャートをさらに詳しくしたものである。図８では、例えば図７のＳ２００をさらに具体的にＳ２００ａ〜Ｓ２００ｃに分けて記載している。
図９は、図８の主要なステップと電源スイッチ２０のオン、オフとの関係を示す図である。以下では、特に図８、図９を参照して説明を行なう。
【００６１】
（ステップ  Ｓ２００）
交換作業者は、累積点灯時間をリセットしようとする放電灯点灯装置に装着されている放電灯を電源スイッチ２０がオフの状態で抜去し、抜去後に、電源スイッチ２０をオン状態にする（Ｓ２００ａ）。
【００６２】
放電灯状態検出回路３２０が放電灯の無負荷常態（抜去）を検出する（Ｓ２００ｂ）。放電灯状態検出回路３２０は、無負荷常態を検出すると、放電灯の無負荷状態検出情報（リセット予約要求情報）をインバータ制御回路３１１のマイコン３１１２に出力する。マイコン３１１２は、この無負荷状態検出情報（リセット予約要求情報）を入力すると不揮発性メモリ３１１３に、予約登録を記録する（Ｓ２００ｃ）。
【００６３】
このＳ２００ａの操作、即ち、電源スイッチ２０をオフにして放電灯を抜去し、その後、無負荷状態で電源スイッチ２０を再投入することで、マイコン３１１２は、電源スイッチ２０に接続されている放電灯点灯装置のうち前記の操作が行われたものは全て、放電灯１１が置換対象（リセット対象）であることを、インバータ制御回路３１１の不揮発性メモリ３１１３に予約登録を記録する。
【００６４】
（ステップ  Ｓ２０１）
累積点灯時間のリセットの予約登録が不揮発性メモリ３１１３に記録されている場合、Ｓ２０１のＹｅｓの処理に進み、記録されていない場合は、Ｎｏに進む。即ち、Ｓ２０１ではマイコン３１１２が不揮発性メモリ３１１３に予約登録が記録されているかどうかを判断する。
【００６５】
（ステップ  Ｓ２１０）
交換作業者は、電源スイッチ２０をオフ状態にする（２１０ａ）。電源オン・オフ状態検出回路３４０が、電源スイッチ２０がオフになった状態を検出する（２１０ｂ）。この検出結果は、電源オン・オフ状態検出回路３４０からインバータ制御回路３１１のマイコン３１１２に取り込まれ、マイコン３１１２が不揮発性メモリ３１１３に記録する（２１０ｃ）。
【００６６】
交換作業者は、電源スイッチ２０をオフにした状態で、新品の放電灯へ置換すべき置換対象として登録された放電灯点灯装置の中から、累積点灯時間のリセットを実行する全ての放電灯点灯装置を選択して、新品の放電灯置換する（２１０ｄ）。
【００６７】
（ステップ  Ｓ２１１）
電源スイッチ２０のオフ状態の情報が不揮発性メモリ３１１３に記録されている場合、Ｓ２１１のＹｅｓーに進み、記録されていない場合は、Ｎｏに進む。すなわち、Ｓ２１１ではマイコン３１１２が不揮発性メモリ３１１３に電源スイッチ２０のオフ状態の情報が記録されているかどうかを判断する。
【００６８】
（ステップ  Ｓ２２０）
交換作業者は、電源スイッチ２０をオンにする（Ｓ２２０ａ）。交換作業者が電源スイッチ２０をオンにすると、放電灯状態検出回路３２０が新品の放電灯が装着していることを検出する（Ｓ２２０ｂ）。そして放電灯状態検出回路３２０からマイコン３１１２がこの装着検出情報を取り込み、この装着検出情報を不揮発性メモリ３１１３に記録する（Ｓ２２０ｃ）。
【００６９】
（ステップ  Ｓ２２１）
放電灯が装着ならＳ２２１のＹｅｓに進み、無負荷ならＮｏに進む。すなわち、Ｓ２２１では、マイコン３１１２が不揮発性メモリ３１１３に放電灯の装着検出情報が記録されているかどうかを判断する。
【００７０】
（ステップ  Ｓ２３０）
実施の形態１の図３のＳ１００〜Ｓ１０１と同様の操作で、作業者は、電源スイッチ２０を、所定の短時間内に、偶数回のオフ・オン状態変化を実行し最終的にオフにする（Ｓ２３０ａ）。
すなわち、作業者には所定の短時間（例えば「５秒」とする）の間に、電源スイッチをオン状態からオフ状態に操作する「オン・オフ操作」を２以上の偶数回（最後はオフ状態）行うことが求められる。
例えば、作業者には、「５秒」の間に２回の「オン・オフ操作」（最後はオフ状態）を行い、
あるいは、
「５秒」の間に４回の「オン・オフ操作」（最後はオフ状態）を行い、
あるいは、
「５秒」の間に６回の「オン・オフ操作」（最後はオフ状態）を行なう
などの操作が求められる。Ｓ２３０ａにおける電源スイッチ２０のオンからオフへの「オン・オフ状態変化」、あるいは、オフからオンへの「オフ・オン状態変化」は変化情報として、電源オン・オフ状態検出回路３４０が検出する（Ｓ２３０ｂ）。この検出結果は、マイコン３１１２に取り込まれ、不揮発性メモリ３１１３に記録されカウントされる（Ｓ２３０ｃ）。
【００７１】
図７、図８では、ｎを１より大きい整数として、偶数を２ｎで示している。
【００７２】
（ステップ  Ｓ２３１）
マイコン３１１２がカウントした「オン・オフ状態変化」の回数が、予めマイコンのプログラムで設定した回数（本実施の形態２では２以上の偶数回数）と一致する場合、Ｓ２３２のＹｅｓに進み、不一致の場合はＮｏに進む。所定の「オン・オフ状態変化」の回数（リセット実行要求情報）における最後の「オン・オフ状態変化」のオフ状態を検出すると、Ｓ２３１のＹｅｓに進む。すなわち、Ｓ２３１では、マイコン３１１２は、所定時間の間にカウントした「オン・オフ状態変化」の回数が、予めマイコン３１１２のプログラムにおいて設定された回数に相当するかどうかを判断する。
【００７３】
（ステップ  Ｓ２４０）
インバータ制御回路３１１のマイコン３１１２は、図９に示すように電源スイッチ２０がオフ状態において、制御電源Ｖｃ３１１のコンデンサ２４の充電電荷を駆動電源として、不揮発性メモリ３１１３に記録されている累積点灯時間を初期値にリセットする（Ｓ２４０）。累積点灯時間がリセットされる対象は、ステップＳ２１０ｄにおいて新品の放電灯と置換された全ての放電灯点灯装置である。
【００７４】
なお、マイコン３１１２の内部に有るＲＡＭ領域（図示していない）に記録されている交換前の放電灯の短時間の累積点灯時間もリセットされる。
【００７５】
なお、通常は、電源オン・オフ状態検出回路３４０が交流電源１がオフされたことを検出すると、電源オン・オフ状態検出回路３４０からの検出情報によって、インバータ制御回路３１１は、インバータ回路３０１への駆動信号の出力を停止する。図８におけるステップＳ２４０では、電源スイッチ２０がオフ状態となったとき電源スイッチ２０がオフ後の所定の期間、引き続き、インバータ回路３０１の発振を継続するようにする。これにより、昇圧チョッパ回路２００のコンデンサ６に充電された電圧でインバータ回路３０１による発振動作を継続させることができる。よって、電源がオフとなった後の所定の期間にインバータ回路３０１の発振により発生する高周波電力を、ダイオード２３を介してコンデンサ２４（充電素子）に供給できる。これによって、インバータ制御回路３１１の制御電源Ｖｃ３１１をマイコン３１１２が不揮発性メモリ３１１３のリセット動作を終了するまで確実に確保できる。即ち、マイコン３１１２は、電源がオフであることに応動して不揮発性メモリ３１１３に記録されている累積点灯時間をリセットする場合に（Ｓ２４０）、コンデンサ２４が充電した電力を累積点灯時間をリセットする動作電力に用いることで確実にリセットすることができる。
【００７６】
（ステップ  Ｓ２５０，Ｓ２６０）
そして、次に、交換作業者が電源スイッチ２０を投入した際に（Ｓ２５０）、報知手段が累積点灯時間のリセットを報知する。報知手段は、実施の形態１の場合と同様とする。
【００７７】
なお、マイコン３１１２が、Ｓ２０１、Ｓ２１１、Ｓ２２１及びＳ２３１でＮｏと判定した場合は、累積点灯時間のリセットはされず、次の処理であるＳ２７０に進む。
【００７８】
以上のように、本実施の形態２によれば、電源スイッチ２０がオフ状態において、いままで装着されていた放電灯を抜去し、電源スイッチ２０を再投入する（Ｓ２００ａ）ことで、電源スイッチ２０に接続されている放電灯点灯装置のうち放電灯を抜去されたものは全て、放電灯１１の置換対象としてインバータ制御回路３１１の不揮発性メモリ３１１３に予約登録することができる。
【００７９】
更に、Ｓ２１０ｄにおいて電源スイッチ２０がオフ状態で新品放電灯を装着することが、累積点灯時間のリセットに必要な条件になっている。そして、新品放電灯への置換後に、Ｓ２３０ａで電源スイッチ２０を所定の短時間内に所定の回数操作する。この操作を検出する場合に最後のオフ状態を検出したタイミングで、インバータ制御回路３１１のマイコン３１１２は、制御電源Ｖｃ３１１のコンデンサ２４の充電電荷を駆動電源として、Ｓ２１０ｄのステップで新品の放電灯へと置換された全ての放電灯点灯装置を対象として、一括して累積点灯時間を初期値にリセットする（Ｓ２４０）。
【００８０】
上記に述べたＳ２３１では、マイコン３１１２は、電源オン・オフ状態検出回路３４０が予め設定された所定の短時間の間に電源のオンからオフへの状態変化であるオン・オフ状態変化ついて２ｎ回（ｎは１以上の整数）を検出したと判断した場合に（Ｓ２３１のＹｅｓ）、電源がオフであることに応動してリセット実行をおこなった（Ｓ２４０）。このため、作業者はＳ２３０ａにおいて、所定の短時間の間に電源スイッチ２０に対して偶数回（２回以上）のオン・オフ操作が要求されるとともに、電源スイッチ２０を最終的にオフとすることが求められた。しかし、これは一例であり「２ｎ回（ｎは１以上の整数）」に限定するものではない。例えば、マイコン３１１２についてのプログラムにおいて予め設定することにより、マイコン３１０２は、Ｓ２３１において電源オン・オフ状態検出回路３４０が予め設定された所定の短時間の間に電源のオン・オフ状態変化について予め設定された所定の奇数回（例えば３以上の奇数回）を検出するとともに電源オン・オフ状態検出回路３４０による電源のオン・オフ状態変化の前記奇数回の検出後における電源の状態がオフであることに応動して、不揮発性メモリ３１１３に記録されている累積点灯時間をリセットするようにしてもかまわない。
【００８１】
以上に説明した実施の形態２の放電灯点灯装置１０１は、累積点灯時間をリセットをする放電灯点灯装置の予約登録とリセット確定の実行との２つの操作手順に分かれているので、使用者（交換作業者）の意図に反してリセットされることを防止でき、しかも、多数の放電灯点灯装置の累積点灯時間のリセットを効率良く行うことができる効果がある。
【００８２】
さらに、放電灯の抜去と装着とは電源スイッチ２０がオフの状態で行うことが条件になっている（図９のＳ２００ａ，Ｓ２１０ｄ）。このため、放電灯の種類や、照明器具の制約条件に拘束されることなく、リセットを行うことができる効果がある。
【００８３】
さらに、累積点灯時間のリセットを行ったことを報知するようにしているので、リセット完了を確認できる効果がある。また、上記報知手段は、放電灯の光出力を所定の周期で増減するようにしているので、特別な報知手段を付加することなく報知できる効果がある。
【００８４】
また、放電灯の無負荷状態検出情報に引き続いて、入力電源のオンからオフへの「オン・オフ状態変化」の検出情報を得た場合に、その後の所定の期間インバータ回路３０１の発振を継続するようにしているので、インバータ制御回路３１１の制御電源ＶＣ３１１をマイコン３１１２が不揮発性メモリ３１１３のリセット動作を終了するまで、確実に確保できる効果がある。
【００８５】
実施の形態３．
以上の実施の形態１及び実施の形態２の放電灯点灯装置は、累積点灯時間のリセットの予約登録の動作と、リセット確定の実行動作という操作手順に分かれていた。以上に説明した放電灯点灯装置による累積点灯時間をリセットする動作は、マイコン３１０２あるいはマイコン３１１２の動作によるものであり、マイコンの動作をプログラムの処理として把握することにより、累積点灯時間リセットプログラムの実施形態とすることができる。図１のマイコン３１０２あるいは図６のマイコン３１１２は、自身の外部の不揮発性メモリに放電灯の累積点灯時間を記録し、あるいは所定の情報を記録するが、不揮発性メモリは、マイコン３１０２あるいはマイコン３１１２の内部に備える構成でもよい。例えば、マイコン３１０２あるいはマイコン３１１２が、自己の内部に累積点灯時間を記録する第１メモリ（図示していない）、及び所定の情報を記録する第２メモリ（図示していない）とを備える構成としても構わない。マイコン３１０２あるいはマイコン３１１２は、放電灯の累積点灯時間を自己内部の第１メモリに記録し、記録した累積点灯時間に応じて放電灯の光出力を制御する。
【００８６】
図１０は、マイコン３１０２あるいはマイコン３１１２にプログラムによる処理を実行させる過程を示すフローチャートである。
【００８７】
Ｓ３０１は、累積点灯時間のリセットの予約を要求するリセット予約要求情報を入力し、入力したリセット予約要求情報に基づいて累積点灯時間のリセットの予約登録を第２メモリに記録する処理である。
【００８８】
Ｓ３０２は、第２メモリに予約登録が記録された後、累積点灯時間のリセットの実行を要求するリセット実行要求情報を入力した場合に、第１メモリに記録されている累積点灯時間をリセットする処理である。
【００８９】
実施の形態３におけるプログラムは、マイクロコンピュータに、予約登録の処理の後にリセット確定の処理を実行させるので、放電灯の交換作業者の意図に反して累積点灯時間がリセットされることを防止することができる。
【００９０】
以上の実施の形態に説明した放電灯点灯装置は、放電灯の累積点灯時間を記録する不揮発性メモリを備え、前記不揮発性メモリの前記累積点灯時間に対応して前記放電灯の光出力を制御する制御部を備える放電灯点灯装置において、制御部は、ｎは１以上の整数とし場合に、入力電源の所定の短時間内におけるオフ状態からオン状態、または、オン状態からオフ状態への状態変化の検出回数がオフ状態からオン状態への状態変化回数は２ｎ＋１回の検出情報に引き続き（入力電源のオン状態を継続して）、放電灯の無負荷状態検出情報の後の放電灯の装着検出情報によって、不揮発性メモリに記憶している累積点灯時間を初期値にリセットするようにしている（実施の形態１）。即ち、リセットをする放電灯点灯装置の予約登録とリセット確定の実行の操作手順に分けているので、使用者（交換作業者）の意図に反してリセットされることを防止でき、且つ、旧来放電灯の抜去と新品放電灯の装着を繰り返す簡単な操作で多数の放電灯点灯装置の累積点灯時間のリセットを効率良く行うことができる効果がある。
【００９１】
以上の実施の形態に説明した放電灯点灯装置は、放電灯の累積点灯時間を記録する不揮発性メモリを備え、前記不揮発性メモリの前記累積点灯時間に対応して前記放電灯の光出力を制御する制御部を備える放電灯点灯装置において、制御部は、放電灯の無負荷状態検出情報の後の入力電源のオフ状態検出情報に引き続いて、入力電源の所定の短時間内におけるオン状態からオフ状態への状態変化の検出回数は２ｎ回の状態変化の検出情報を得た後に（入力電源オフ状態の時に）、不揮発性メモリに記憶している累積点灯時間を初期値にリセットするようにしている（実施の形態２）。即ち、リセットをする放電灯点灯装置の予約登録とリセット確定の実行の操作手順に分かれているので、使用者（交換作業者）の意図に反してリセットされることを防止でき、しかも、多数の放電灯点灯装置の累積点灯時間のリセットを効率良く行うことができる効果がある。さらに、放電灯の抜去と装着は電源スイッチ２０がオフの状態で行うことが条件になっているので、放電灯の種類や、照明器具の制約条件なしにリセットを行うことができる効果がある。
【００９２】
以上の実施の形態に説明した放電灯点灯装置は、累積点灯時間のリセットを行ったことを報知する手段を有するようにしているので、リセット完了を確認できる効果がある。
【００９３】
以上の実施の形態に説明した放電灯点灯装置は、放電灯の無負荷状態検出情報に引き続いて、入力電源のオンからオフへの状態変化の検出情報を得た場合に、その後の所定の期間インバータ回路の発振を継続するようにしているので、インバータ制御回路の制御電源をマイコンが不揮発性メモリのリセット動作を終了するまで確実に確保できる効果がある（実施の形態２）。
【００９４】
以上の実施の形態に説明した放電灯点灯装置は、累積点灯時間のリセットを行ったことを報知する手段は、放電灯の光出力を所定の周期で増減するようにしているので、特別な報知手段を付加することなく報知できる効果がある。
【００９５】
以上の実施の形態では、放電灯の累積点灯時間を記録する不揮発性メモリを備え、前記不揮発性メモリの前記累積点灯時間に対応して前記放電灯の光出力を制御する制御部を備える放電灯点灯装置において、制御部は、ｎは１以上の整数とし場合に、入力電源の所定の短時間内におけるオフ状態からオン状態への状態変化の検出回数が、オフ状態からオン状態への状態変化回数は２ｎ＋１回の検出情報に引き続き（入力電源のオン状態を継続して）、放電灯の無負荷状態検出情報の後の放電灯の装着検出情報によって、不揮発性メモリに記憶している累積点灯時間を初期値にリセットする放電灯点灯装置を説明した。
【００９６】
以上の実施の形態では、放電灯の累積点灯時間を記録する不揮発性メモリを備え、前記不揮発性メモリの前記累積点灯時間に対応して前記放電灯の光出力を制御する制御部を備える放電灯点灯装置において、制御部は、放電灯の無負荷状態検出情報の後の入力電源のオフ状態検出情報に引き続いて、入力電源のオンからオフへの状態変化の検出情報を得た後に（入力電源オフ状態の時に）、不揮発性メモリに記憶している累積点灯時間を初期値にリセットするようにした放電灯点灯装置を説明した。
【００９７】
以上の実施の形態では、累積点灯時間のリセットを行ったことを報知する手段を有する放電灯点灯装置を説明した。
【００９８】
以上の実施の形態では、放電灯の無負荷状態検出情報に引き続いて、入力電源のオンからオフへの状態変化の検出情報を得た場合に、その後の所定の期間インバータ回路の発振を継続するようにした放電灯点灯装置を説明した。
【００９９】
以上の実施の形態では、制御部は、放電灯の無負荷状態検出情報、入力電源のオフ状態検出情報、放電灯装着情報をこの順番で検出し、ｎを１以上の整数としたときに、オン状態からオフ状態への状態変化検出回数が２ｎ回に達した後も、その後の所定の期間インバータ回路の発振にともなう高周波電力をインバータ制御回路に供給することを特徴とする放電灯点灯装置を説明した。
【０１００】
以上の実施の形態では、制御部は、放電灯の無負荷状態検出情報の後の入力電源のオフ状態検出情報に引き続いて、入力電源のオンからオフへの状態変化の検出情報を得た後に、ｎは１以上の整数とし場合に、入力電源の所定の短時間内におけるオン状態からオフ状態への状態変化の検出回数が２ｎ回に達したタイミングで（入力電源がオフ状態の時に）、不揮発性メモリに記憶している累積点灯時間を初期値にリセットするようにした放電灯点灯装置を説明した。
【０１０１】
以上の実施の形態では、累積点灯時間のリセットを行ったことを報知する手段は、放電灯の光出力を所定の周期で増減するようにした放電灯点灯装置を説明した。ものである。
【図面の簡単な説明】
【０１０２】
【図１】実施の形態１における放電灯点灯装置１００の回路図。
【図２】実施の形態１における放電灯点灯装置１００の動作原理を説明する特性図。
【図３】実施の形態１における放電灯点灯装置１００の動作を説明するフローチャート図。
【図４】実施の形態１における図３をさらに詳細に示す図。
【図５】実施の形態１における図４の内容を電源に着目して示した図。
【図６】実施の形態２における放電灯点灯装置１０１の回路図。
【図７】実施の形態２における放電灯点灯装置１０１の動作を説明するフローチャート図。
【図８】実施の形態２における図７をさらに詳細に示す図。
【図９】実施の形態２における図８の内容を電源に着目して示した図。
【図１０】実施の形態３におけるプログラムの処理を示すフローチャート。
【符号の説明】
【０１０３】
Ｖｃ３１１  制御電源、１  交流電源、２  ダイオードブリッジ、３  チョークコイル、４  ダイオード、５  スイッチング素子、６  コンデンサ、７，８  スイッチング素子、９  カップリングコンデンサ、１０  チョークコイル、１１  放電灯、１２，１５  コンデンサ、１３，１４  抵抗、２０  電源スイッチ、２１  コンデンサ、２２，２３  ダイオード、２４  コンデンサ、１００，１００ａ〜１００ｎ  放電灯点灯装置、１０１，１０１ａ〜１０１ｎ  放電灯点灯装置、２００  昇圧チョッパ回路、２１０  昇圧チョッパ制御回路、３００，３０１  インバータ回路、３１０，３１１  インバータ制御回路、３２０  放電灯状態検出回路、３３０  放電灯負荷回路、３４０  電源オン・オフ状態検出回路、３１０１  制御出力回路、３１０２  マイコン、３１０３  不揮発性メモリ、３１１１  制御出力回路、３１１２  マイコン、３１１３  不揮発性メモリ。
【図１】
0004611907.tif 000002
【図２】
0004611907.tif 000003
【図３】
0004611907.tif 000004
【図４】
0004611907.tif 000005
【図５】
0004611907.tif 000006
【図６】
0004611907.tif 000007
【図７】
0004611907.tif 000008
【図８】
0004611907.tif 000009
【図９】
0004611907.tif 000010
【図１０】
0004611907.tif 000011